(57)【要約】【課題】簡単な構成を採用しながらも、電子レンジのドアが本体から抜け易くなることがないようにし、また、電子レンジのドアヒンジ取付の作業性を高めるようにした電子レンジのドアヒンジ取付装置を提供することを目的とする。【解決手段】電子レンジの本体３０に設けられ、ドア５０を支持すると共に、その回転中心になるヒンジ板３３と、前記ドア５０を構成するドアフレーム５３の裏面に設けられ、前記ヒンジ板３３と対応する部分に前記ヒンジ板３３が挿入される取付空間６３を形成するチョークカバー６０と、前記ヒンジ板３３が前記取付空間６３に挿入され、ドア５０を回転自在に支持した状態で、前記ヒンジ板３３の下降を遮断するように、前記ヒンジ板３３とチョークカバー６０との間に位置し、ヒンジ板３３を支持する支持リブ６５とを備えて構成する。【選択図】　　　図１
2004020180.tif 000002
【特許請求の範囲】
【請求項１】
電子レンジの本体に設けられ、ドアを支持すると共に、その回転中心になるヒンジ板と、
前記ドアを構成するドアフレームの裏面に設けられ、前記ヒンジ板と対応する部分に前記ヒンジ板が挿入される取付空間を形成するチョークカバーと、
前記ヒンジ板が前記取付空間に挿入され、ドアを回転自在に支持した状態で、前記ヒンジ板の下降を遮断するように、前記ヒンジ板とチョークカバーとの間に位置し、ヒンジ板を支持する支持リブとを備えることを特徴とする電子レンジのドアヒンジ取付装置。
【請求項２】
前記支持リブは、一端部が前記チョークカバーに連結され、他端部が自由端部になるように形成されることを特徴とする請求項１に記載の電子レンジのドアヒンジ取付装置。
【請求項３】
前記支持リブは、その形状と材質の特性上、弾性力を有し、前記ヒンジ板が取付空間に挿入されてドアフレームにヒンジ連結された状態で、その自由端部側が弾性力により前記ヒンジ板を支持する位置に移動しようとする傾向を有することを特徴とする請求項２に記載の電子レンジのドアヒンジ取付装置。
【請求項４】
前記支持リブは、前記ヒンジ板に結合されるヒンジ軸によりその移動の程度が制限されることを特徴とする請求項２に記載の電子レンジのドアヒンジ取付装置。
【請求項５】
前記ヒンジ板は、前記電子レンジ本体の正面の一側の上下端に設けられることを特徴とする請求項１に記載の電子レンジのドアヒンジ取付装置。
【発明の詳細な説明】
【０００１】
【発明の属する技術分野】
本発明は、電子レンジに関し、より詳しくは、ドアの開閉のためのヒンジからドアが抜け易くなることがないように構成される電子レンジのドアヒンジ取付装置に関する。
【０００２】
【従来の技術】
電子レンジには、前方に開口した加熱室（調理室）の前面にドアが設置されている。このドアは、電子レンジ本体の前面に対してヒンジ装置により回動しながら、加熱室を開閉できるようになる。
【０００３】
図４及び図５に示すように、ドア１０の裏面側には、チョークカバー１２が結合されている。前記チョークカバー１２は、電子レンジの外部に電磁波が漏洩しないようにするチョーク構造（図示せず）が電子レンジの裏面から見えないように遮蔽する役目をする。前記チョークカバー１２の一側上端の隅部分は、電子レンジの本体２０に設けられるヒンジ板２２が、前記ドア１０内部の一側に設けられているヒンジ軸ｈと結合できるように、部分的に切り出され、これに該当するドア１０の裏面に取付空間１３が形成される。
【０００４】
したがって、前記切り出された部分を介して、前記ヒンジ板２２がドア１０裏面の取付空間１３内部に挿入され、ヒンジ軸ｈと回動自在に結合される。そして、前記取付空間１３の入口には、離脱防止キャップ１４が挿着される。このように離脱防止キャップ１４が挿着された状態で、ドア１０は、上部に持ち上げられなくなるため、実質的にドア１０が電子レンジの本体２０に対して離脱せずに回動自在に支持されるようになる。
【０００５】
しかしながら、図示したような従来の電子レンジのドアヒンジ取付装置では、次のような問題点がある。
従来のドアヒンジ取付装置において、前記離脱防止キャップ１４が別体で構成されるので、離脱防止キャップ１４が取り外されれば、前記ドア１０が前記本体２０から抜け易くなる。これは、前記ヒンジ板２２の下部とチョークカバー１２との間の取付空間１３が相対的に大きく形成されるからである。
そして、前記離脱防止キャップ１４がチョークカバー１２と別体で構成されているので、前記離脱防止キャップ１４を別途に組立てる過程を経る必要があるため、組立工数が多くなり、組立作業の作業性が劣るという問題点もある。
【０００６】
【発明が解決しようとする課題】
本発明は、上述の問題点に鑑みなされたものであり、簡単な構成を採用しながらも、電子レンジのドアが本体から抜け易くなることがないようにしたことを目的とする。
また、本発明は、電子レンジのドアヒンジ取付の作業性を高めることを目的とする。
【０００７】
【課題を解決するための手段】
前記目的を達成するために、本発明に係る電子レンジのドアヒンジ取付装置は、電子レンジの本体に設けられ、ドアを支持すると共に、その回転中心になるヒンジ板と、前記ドアを構成するドアフレームの裏面に設けられ、前記ヒンジ板と対応する部分に前記ヒンジ板が挿入される取付空間を形成するチョークカバーと、前記ヒンジ板が取付空間に挿入されてドアを回転自在に支持した状態で、前記ヒンジ板の下降を遮断するように、ヒンジ板とチョークカバーとの間に位置し、ヒンジ板を支持する支持リブとを備えたことを特徴とする。
【０００８】
前記支持リブは、一端部が前記チョークカバーに連結され、他端部が自由端部になるように形成される。
前記支持リブは、その形状と材質の特性上、弾性力を有し、前記ヒンジ板が取付空間に挿入されてドアフレームにヒンジ連結された状態で、その自由端部側が弾性力によりヒンジ板を支持する位置に移動しようとする傾向を有する。
【０００９】
前記支持リブは、前記ヒンジ板に結合されるヒンジ軸によりその移動程度が制限される。
前記ヒンジ板は、電子レンジ本体の正面の一側の上下端に設けられる。
このような構成を有する本発明による電子レンジのドアヒンジ取付装置によれば、相対的に簡単な構成により、ドアが本体から抜けないようにする利点がある。
【００１０】
【発明の実施の形態】
以下、本発明による電子レンジのドアヒンジ取付装置の好ましい実施形態を添付の図面に基づいて詳細に説明する。
図１は、本発明による電子レンジのドアヒンジ取付装置の好ましい実施形態を示す分解斜視図であり、図２は、本発明の実施形態を構成する支持リブがチョークカバーに形成されている状態を示す斜視図である。
【００１１】
図示したように、電子レンジの本体３０前面の一側の上下端には、ヒンジ板３３が設けられる。前記ヒンジ板３３には、ヒンジ孔３４が形成される。ごこで、設計条件によっては、少なくとも一方のヒンジ板には、ヒンジ軸が設けられることもできる。前記ヒンジ板３３は、後述するドア５０とヒンジ結合され、ドア５０が回転することによって、本体３０に形成された調理室３６を選択的に開閉するようにする。
【００１２】
次に、ドア５０の構成を説明する。ドア５０の前面には、前面パネル５２が形成される。前記前面パネル５２の背面には、ドアフレーム５３が設けられる。前記ドアフレーム５３は、ドア５０の骨格を形成するものであり、その縁部を取り囲んで電磁波の漏洩を防止するためのチョーク構造が設けられる。前記ヒンジ板３３と対応する前記ドアフレーム５３の突出部は、長く延設され、その先端部側には、ヒンジ軸５５が設けられる。
【００１３】
また、前記ドア５０の縁部に沿って前記チョーク構造を遮蔽するチョークカバー６０が設けられる。前記チョークカバー６０は、一般に、モールド物であって、前記ドアフレーム５３と別体で形成され、前記前面パネル５２の背面に設けられる。前記チョークカバー６０のうち前記ヒンジ板３３と対応する部分は、その上面６１が段差をもって形成される。前記チョークカバー６０の上面６１と前記ヒンジ軸５５が設けられる前記突出部との間は、取付空間６３となる。前記取付空間６３には、前記ヒンジ板３３が挿入される。
【００１４】
一方、前記チョークカバー６０の前記段差付きの上面６１には、支持リブ６５が設けられる。前記支持リブ６５は、図２に示すように、その一端部が前記チョークカバー６０に連結され、他端部が自由端部として形成される。言い換えれば、前記支持リブ６５は、前記チョークカバー６０の一側から長く延設され、前記一端部だけで前記チョークカバー６０と連結され、チョークカバー６０の上面とは分離されている。
【００１５】
そして、前記支持リブ６５は、その材質と形状の特性上、所定の弾性力を有する。すなわち、前記支持リブ６５は、前記チョークカバー６０と連結された部分を中心に、その自由端部が、弾性復元力により図２の矢印Ａ方向に移動しようとする傾向がある。
【００１６】
このような支持リブ６５は、前記ヒンジ板３３の下面を支持することによって、前記ヒンジ板３３が前記ヒンジ軸５５とヒンジ連結された状態で、取付空間６３の下部に移動しないようにする役目をする。もちろん、前記支持リブ６５は、弾性変形されるものなので、前記ヒンジ板３３を取付空間６３に挿入してヒンジ軸５５と結合する時は、前記支持リブ６５が前記ヒンジ板３３の下部に存在しないようにすればよい。
【００１７】
前記支持リブ６５の高さＨは、前記ヒンジ板３３が取付空間６３に挿入されてヒンジ軸５５とヒンジ連結された時、前記ヒンジ板３３とチョークカバー６０の上面６１との間の距離より大きくないように形成しなければならない。
以下、上述したような構成を有する本発明による電子レンジのドアヒンジ取付装置の作用を説明する。
【００１８】
本発明において、前記支持リブ６５は、図２に示すように、チョークカバー６０と連結される一端部を基準として、その自由端部が矢印Ａ方向に移動しようとする傾向がある。
したがって、前記ヒンジ板３３のヒンジ孔３４に前記ヒンジ軸５５が挿入された状態、すなわちドア５０が本体３０に取付された状態では、前記支持リブ６５により前記ヒンジ板３３が支持され、前記ヒンジ軸５５が前記ヒンジ孔３４から抜け出ることができなくなる。
【００１９】
一方、前記ヒンジ板３３とヒンジ軸５５とを結合したり、分離したりする時には、前記支持リブ６５が前記ヒンジ板３３の下部に位置しないようにする。すなわち、図３ｂに示すように、支持リブ６５が前記ヒンジ板３３の下部から脱した状態で、ヒンジ板３３とヒンジ軸５５とのヒンジ連結を行う。このために、ドライバや棒のような別途の道具を使用すればよい。
【００２０】
より詳細に説明すれば、ドライバや棒のような別途の道具を用いて前記支持リブ６５の自由端を図２の矢印Ａの反対方向に押して、支持リブ６５がその自体の弾性力を克服しながら変形するようにする。このような移動により、図３ｂに示したような状態となると、ヒンジ板３３の下部にこれ以上の支持リブ６５が存在しなくなり、ヒンジ板３３が前記取付空間６３からチョークカバー６０の上面６１側に移動（実際にはドア５０が上昇）することが可能になる。
【００２１】
次に、前記ヒンジ板３３がドア５０のヒンジ軸５５とヒンジ連結された状態で、前記支持リブ６５に別途の外力が作用しなければ、図３ａの状態となる。この際、前記支持リブ６５自体が有する弾性力により、前記支持リブ６５は、前記ヒンジ軸５５に当接するようになる。ここで、前記支持リブ６５は、前記ヒンジ軸５５に当接し、これ以上の回転ができない状態となる。したがって、前記ヒンジ軸５５は、前記支持リブ６５の回転を制限するストッパーの役割をもするようになる。
【００２２】
このような状態では、前記ヒンジ板３３の下面に前記支持リブ６５が位置して、ヒンジ板３３がチョークカバー６０の上面６１に向けて下降しないようにする。したがって、別途の外力が前記支持リブ６５に作用して、ヒンジ板３３の下部から脱しない限り、前記ヒンジ板３３の下降が防止され、ドア５０が本体３０から抜けないようになる。
【００２３】
本発明は、本発明の技術的思想から逸脱することなく、他の種々の形態で実施することができる。上述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【００２４】
【発明の効果】
以上説明したように、本発明による電子レンジのドアヒンジ取付装置では、ヒンジ板がドアのヒンジ軸とヒンジ連結された状態で、取付空間の内で支持リブにより支持された状態となる。したがって、ヒンジ軸がヒンジ板から抜け出ることができないように、支持リブによりヒンジ板の移動が制限される。したがって、別途の部品無しにチョークカバーに一体に形成された支持リブにより、ドアの取付状態が堅固になり、さらに信頼性のあるドアヒンジ取付装置を提供することができる。
【００２５】
また、支持リブがチョークカバーに一体に形成されているので、支持リブを紛失するおそれがなく、別途の離脱防止キャップを使用する必要がなく、部品点数が減少するので、組立作業の作業性が相対的に良くなり、製造コストが低くなるという効果を得ることができる。
【図面の簡単な説明】
【図１】本発明による電子レンジのドアヒンジ取付装置の好ましい実施形態の構成を示す分解斜視図である。
【図２】本発明の実施形態を構成するチョークカバーと支持リブの構成を示す部分斜視図である。
【図３】本発明の実施形態において支持リブとヒンジ板との位置関係を示す動作状態図である。
【図４】従来のドアヒンジ取付装置を示す斜視図である。
【図５】従来のドアヒンジ取付装置の構成をドアの裏面から見た背面図である。
【符号の説明】
３０…本体
３３…ヒンジ板
３４…ヒンジ孔
５０…ドア
５２…前面パネル
５３…ドアフレーム
５５…ヒンジ軸
６０…チョークカバー
６１…上面
６３…取付空間
６５…支持リブ
【図１】
2004020180.tif 000003
【図２】
2004020180.tif 000004
【図３】
2004020180.tif 000005
【図４】
2004020180.tif 000006
【図５】
2004020180.tif 000007